(57)【特許請求の範囲】
【請求項１】
軟質合成樹脂からなる本体の底面に、硬質合成樹脂からなる補強プレートを積層したシューズ用インソールにおいて、
前記補強プレートには、前記インソールの長手方向に走るリブと、開口部とを設けると共に、前記リブは前記開口部をまたぐように配置し、
前記リブの太さを、前記開口部上において前記開口部以外の補強プレート上にあるときよりも細くしたシューズ用インソール。
【請求項２】
前記軟質合成樹脂からなる本体は、硬度の異なる２層以上の素材から構成した請求項１記載のシューズ用インソール。
【請求項３】
前記軟質合成樹脂からなる本体の上面に、さらに上面保護シートを積層した請求項１又は２のいずれか１項に記載のシューズ用インソール。
【請求項４】
、
前記軟質合成樹脂からなる本体、およびその上面に上面保護シートを積層した場合にはその上面保護シートにも貫通孔を設けると共に、前記貫通孔が前記補強プレートの開口部と連通するように構成した請求項１乃至３のいずれか１項に記載のシューズ用インソール。
【請求項５】
前記補強プレートを、足裏に添うようにカップ状の補強プレートとし、
前記カップ状補強プレートの立ち上がり部に切込部を設けると共に、この切込部をまたぐ小リブを設けた請求項１乃至４のいずれか１項に記載のシューズ用インソール。
【請求項６】
前記インソールの長手方向に走るリブ、開口部、切込部を、前記補強プレートの土踏まず部領域に設けた請求項１乃至５のいずれか１項に記載のシューズ用インソール。
【発明の詳細な説明】
【技術分野】
【０００１】
本発明は、シューズ用インソールにおいて、足に対するサポート性を向上させ、かつ長期間使用しても最初の性能が維持されるようにすると共に、さらには使用者の好みに応じてその性能を任意に変えることができるようにしようとするものである。
【背景技術】
【０００２】
従来から、軟質合成樹脂からなる本体の底面に、硬質合成樹脂からなる補強プレートを積層したシューズ用インソールは知られている。
通常このようなインソールは、軟質合成樹脂からなる本体の上面にさらに上面保護シートを積層し、かつ、足裏に添うように側方をカップ状に立ち上げた形状としている。
【０００３】
軟質合成樹脂からなる本体の底面に、硬質合成樹脂からなる補強プレートを積層するのは、軟質合成樹脂は着地時の衝撃を緩和するものの着地時にいわゆる腰がなくて不安定感を解消することができないからであり、また、長期間使用すると軟質合成樹脂がへたって初期の性能が維持できないからである。
さらに、上面保護シートを積層するのは足当たり感と上面耐久性をよくするためであり、側方をカップ状に立ち上げた形状とするのは、使用者の足裏に添いやすくするためである。
【０００４】
このような従来のシューズ用インソールは、米国特許第４５９７１９６号、同第４５８６２７３号、同第４５１０７００号に開示がある。
しかし、これらの発明によって提供されるシューズ用インソールは、剛性や柔軟性において一定の性能を持つに過ぎない。
ところが、これらのシューズ用インソールを使用する人は、同じ靴のサイズの人であっても、体重、性別、足形状（ 例えば足幅の広狭、アーチ高さの高低等） 、使用目的、運動内容のレベル、好みなどによって、求める性能は様々である。
そこで、同一サイズのシューズ用インソールにおいて、各個人差に対応した剛性や柔軟性の異なる製品を複数用意することも考えられるが、実際は商品在庫を増やすばかりで現実的ではなく、実施されることはなかった。
【０００５】
また、出願人は、特許第３３３７９７１号のシューズの踵部等に使用できる緩衝構造体を本発明と組み合わせることにより、さらに衝撃吸収性にも優れたシューズ用インソールを提供することを考えた。
【０００６】
【特許文献１】米国特許第４５９７１９６号
【特許文献２】米国特許第４５８６２７３号
【特許文献３】米国特許第４５１０７００号
【特許文献４】特許第３３３７９７１号
【発明の開示】
【発明が解決しようとする課題】
【０００７】
本発明は、衝撃緩和性、安定性等の足に対するサポート性を向上させ、かつ長期間使用しても最初の性能が維持されるようにすると共に、さらには使用者の好みに応じて使用者自身が、剛性、柔軟性、変形性や追随性等のインソールの性能そのものを任意に変更することができるシューズ用インソールを提供しようとするものである。
【課題を解決するための手段】
【０００８】
請求項１の発明は、軟質合成樹脂からなる本体の底面に、硬質合成樹脂からなる補強プレートを積層したシューズ用インソールにおいて、前記補強プレートには、前記インソールの長手方向に走るリブと、開口部とを設けると共に、前記リブは前記開口部をまたぐように配置し、前記リブの太さを、前記開口部上において前記開口部以外の補強プレート上にあるときよりも細くしたシューズ用インソールである。
【０００９】
請求項１の発明では、補強プレートの存在によって、従来公知のプレート同様、着地時の足への衝撃を軟質合成樹脂を介して受け止めることができるので、衝撃緩和性と安定性を確保できるので、足に対するサポート性を向上させることができる。
シューズ用インソールの長手方向にはリブを設けているので、シューズ用インソールの長手方向の剛性を向上させることができ、補強プレートの厚みを厚くしなくとも剛性が確保できるので、シューズ用インソール全体の軽量化にも役立つ。
【００１０】
補強プレートの存在によって、着用者の例えば土踏まず部が持ち上げられるので、その結果、シューズ用インソール下面と靴内底面との間には空間ができる。
従って、歩行やランニング等の運動を繰返すと、インソール下面が靴内底面上に着いたり離れたりするので、この動きにより通気性が確保される。
また、リブが存在することにより、インソール下面が靴内底面上に着いたとしても、インソール下面と靴内底面上との間には空間が確保されるので、通気性が阻害されることがない。
【００１１】
さらに、シューズ用インソールの長手方向に走るリブは、補強プレートに設けた開口部をまたぐように配置したので、本発明シューズ用インソールの剛性が高過ぎる時、使用者は開口部に鋏や爪切り等を挿入してリブを切断するとよい。
このようにすれば、リブを切断した部分の剛性は低くなるから、補強プレート、さらにはシューズ用インソール自体が足の動きに応じて変形しやすくなる。従って、シューズ用インソールの剛性、柔軟性、変形性や追随性を使用者が好みに応じて調整できることとなる。
以上から、剛性、柔軟性等の異なるシューズ用インソールを複数用意するような必要もなくなる。
また、このように構成すれば、開口部に鋏や爪切り等を挿入してリブを切断する際に、切断がしやすくなる。
【００１２】
請求項２の発明は、前記軟質合成樹脂からなる本体は、硬度の異なる２層以上の素材から構成した請求項１に記載のシューズ用インソールである。
軟質合成樹脂の所要部に、前記より硬度の高い合成樹脂層を設けることで、強度や剛性を当該部位の必要性に応じた所定の性能を持った本体にすることができる。
【００１３】
請求項３の発明は、前記軟質合成樹脂からなる本体の上面に、さらに上面保護シートを積層した請求項１又は２のいずれか１項に記載のシューズ用インソールである。
上面保護シートを積層することで、足当たりや上面耐久性をよくすることができる。
【００１４】
請求項４の発明は、前記軟質合成樹脂からなる本体、およびその上面に上面保護シートを積層した場合にはその上面保護シートにも貫通孔を設けると共に、前記貫通孔が前記補強プレートの開口部と連通するように構成した請求項１乃至３のいずれか１ 項に記載のシューズ用インソールである。
貫通孔を設けることで、足裏に生じる熱や湿気をさらに拡散することができ、靴内を常に爽快にすると共に足にマメを生じることも少なくなるものである。
【００１５】
請求項５の発明は、前記補強プレートを、足裏に添うようにカップ状の補強プレートとし、前記カップ状補強プレートの立ち上がり部に切込部を設けると共に、この切込部をまたぐ小リブを設けた請求項１乃至４のいずれか１項に記載のシューズ用インソールである。
補強プレートをカップ状に形成することで、着地時の衝撃をより確実に受け止めることができるので、衝撃緩和性、安定性がより向上し、足に対するサポート性を一層向上させることができる。
また、補強プレートをカップ状にすれば立体的形状となるので、この部分の剛性が一層向上することとなってしまう。
そこで、カップ状補強プレートの立ち上がり部にも切込部を設け、かつ、この切込部をまたぐ小リブを設けておけば、使用者は剛性、柔軟性等を調整するために、小リブを鋏や爪切り等で切断することができる。
切込部等を設けるのは、立ち上がり部の内甲側、外甲側、踵周辺のどこであってもよく、特に限定されることはない。
切断することでカップ状補強プレートの剛性は低くなるので、シューズ用インソールは足の動きに応じて変形しやすくなる。従って、使用者は、好みの剛性、柔軟性、変形性や追随性に調整することが可能となる。
【００１６】
請求項６の発明は、前記インソールの長手方向に走るリブ、開口部、切込部を、前記補強プレートの土踏まず部領域に設けた請求項1乃至５のいずれか１項に記載のシューズ用インソールである。
補強プレートにおいて、特に剛性、柔軟性等の微調整が要求される土踏まず部領域にリブ、開口部や切込部を設けることで、使用者の好みに応じた剛性、柔軟性等を有するシューズ用インソールに変更することが容易となる。
【発明の効果】
【００１７】
以上のように、本発明によれば、シューズ用インソールの衝撃緩和性、安定性等の足に対するサポート性を向上させ、かつ長期間使用してもへたりが少なく初期の性能が維持されるようにすると共に、さらには、補強プレートに設けた開口部をまたぐリブを鋏や爪切り等を挿入して切断することで、シューズ用インソールの剛性、柔軟性、変形性や追随性を好みに調整することが可能となる。
【発明を実施するための最良の形態】
【００１８】
以下、本発明の実施例を添付図面に基づいて説明する。
図１は、本発明のシューズ用インソールを底面からみたところであり、図２ はその要部拡大図である。
シューズ用インソール１は、図３に示すように、軟質合成樹脂からなる本体２ の底面に硬質合成樹脂からなる補強プレート３を積層している。さらに、足当たりや上面耐久性をよくするために上面保護シート４を積層してもよい。
本体２、補強プレート３、上面保護シート４は、それぞれ接着、同時成型等によって積層されている。
上面保護シート４としては、メッシュ素材、不織布、織布、樹脂シート、皮革等が使用できる。
【００１９】
補強プレート３には、シューズ用インソール１の長手方向に走るリブ３１と、開口部３２ とを設けている。そして、リブ３１は、開口部３２上をまたぐように配置している。
リブ３１の本数や開口部３２の数は、補強プレートの剛性、柔軟性等や、シューズ用インソール１の通気性を考慮して任意に決定すればよい。
開口部３２の形状は、図面では円形としているがこれも任意であり、楕円形、四角形等の形であってもよい。
【００２０】
開口部３２上に常にリブ３１が存在する必要性はなく、まったくリブ３１と関係のない開口部３２ａを設けることもできる。このような開口部３２ａは、通気性の向上と高くなりすぎた補強プレート３の剛性を低下させるために用いることができる。
さらに、シューズ用インソール１の長手方向に走る複数本のリブ３１を横手方向につなぐ横リブ３３を任意数設けることもできる。横リブ３３は、補強プレート３の横方向の剛性を高くするために用いるものである。
【００２１】
使用者は、本シューズ用インソール１を試着した結果、剛性、柔軟性等が高いと判断した時は、開口部３２に鋏や爪切り等を挿入してリブ３１を切断する。
すると、リブを切断した部分の剛性は低くなるから、補強プレート３が足の動きに応じて変形しやすくなる。
この結果、シューズ用インソール１の剛性、柔軟性、変形性や追随性等の調整が可能となる。
【００２２】
なお、複数本設けたリブ３１において、開口部３２をリブ３１とは直行する横方向に一列に配置すれば、当該部分のリブ３１を切断することによって、特にその部分の剛性を低くできるから、柔軟性等が格段に向上する。
また、複数本設けたリブ３１において、開口部３２をリブ３１の前後方向にずらして配置し、リブ３１とは直行する横方向に一列にならないようにすれば、当該部分のリブ３１を切断しても剛性がそれほど低くならず、極端に柔軟性等が変わることがない。
以上のように、配置する開口部３２の位置を調整することで、補強プレート３の剛性変化に強弱をつけることもできる。
【００２３】
図２に示すように、リブ３１の太さは一定ではなく、開口部３２上にあるときは細くなるようにくびれ部３１１としておくこともできる。
くびれ部３１１を設けておけば、開口部３２に鋏や爪切り等を挿入してリブ３１を切断する際に、細くなったくびれ部３１１を切断すれば、切断がしやすくなる。
【００２４】
補強プレート３は、熱可塑性ポリウレタン（ＴＰＵ）やポリアミドエラストマー（ＰＡＥ）、ＡＢＳ樹脂等の熱可塑性樹脂、またはエポキシ樹脂や不飽和ポリエステル樹脂等の熱硬化性樹脂から構成されている。また、カーボン繊維や金属繊維等を混入した繊維強化樹脂から構成されていてもよい。
補強プレート３は、ＪＩＳＫ６２５３型のＤ 硬度で３０〜 ９０が好ましく、適度な弾性と剛性バランス上、７０±５程度が望ましい。
【００２５】
図３では、軟質合成樹脂からなる本体２は、１層で成型されている。
図示はしないが、本体２は、硬度の異なる２層以上の素材から構成することもできる。
具体的には、強度や剛性の必要な土踏まず部の上面あるいは／および下面に、主要部分より硬度の高い軟質合成樹脂や合成樹脂シート等を積層することで、その部分の強度・剛性を高めて、最適な性能を持った本体２にすることができる。
もちろん、土踏まず部以外にも適宜実施することが可能である。
【００２６】
軟質合成樹脂からなる本体２としては、エチレン−酢酸ビニル共重合体（ＥＶＡ）等の熱可塑性合成樹脂やポリウレタン（ＰＵ）等の熱硬化性樹脂、またはこれらの樹脂の発泡体、あるいはブタジエンラバーやクロロプレンラバー等のラバー素材またはその発泡体を用いることができる。さらに、ラバーまたはエラストマー（例えばＰＡＥ）等のような軟質弾性部材、あるいは適度な厚みを保持した不織布部材から構成することもできる。
そして、通常１層で構成する場合の本体２の硬度は、ＡＳＫＥＲ  C硬度で３０から６５未満であり、２層以上で構成する場合は主要部分より硬度が高く、ＡＳＫＥＲ Ｃ硬度で６５〜８０程度であることが好ましい。
【００２７】
図４は、図１のＡ−Ａ線断面図である。
この実施例では、本体２の底面に補強プレート３を、上面に上面保護シート４を積層している。
この図面から、補強プレート３の開口部３２上のリブ３１が、開口部３２上をまたぐように配置している構造がよく理解できる。
【００２８】
補強プレート３の存在によって、着用者の例えば土踏まず部が持ち上げられるので、その結果、シューズ用インソール１下面と靴内底面との間には空間ができる。従って、歩行やランニング等の運動を繰返すと、インソール１下面が靴内底面上に着いたり離れたりするので、この動きによって通気性が確保される。
この場合、図４に示すように、開口部３２を、本体２及び上面保護シート４の貫通孔５に通じるようにしておくと、さらに、足裏に生じる熱や湿気を拡散できるので、足にマメが生じ難くなる。
また、リブ３１が存在することにより、インソール１下面が靴内底面上に着いたとしても、インソール下面と靴内底面上との間には空間が確保されることになるので、通気性が阻害されることがない。
【００２９】
図１、図２において、補強プレート３の開口部３２が二重円に見えているのは、開口部３２の孔の方が本体２及び上面保護シート４の貫通孔５よりも大きいことも示している。図４からも同様の構成が理解できる。
これは、開口部３２の孔の直径を貫通孔５よりも大きくしておくと、補強プレート３を本体２に接着等した際に、接着位置がずれたとしても、貫通孔５が補強プレート３で塞がれるようなことがなくなるようにしようとするためである。
【００３０】
補強プレート３は、足裏に添うように周縁が立ち上がってカップ状となるようにしている。カップ状に形成することで、着地時の衝撃をより確実に受け止めることができる。
【００３１】
他方、補強プレート３をカップ状にすると、図４に示すように断面が立体的なＵ字形となって、シューズ用インソール１の長手方向の剛性が一層向上することとなってしまう。
このため、図１及び図２に示すように、補強プレート３の立ち上がり部３４に切込部３５を設けると共に、この切込部３５をまたぐ小リブ３６を設けておく。
剛性が高いと判断した使用者は、切込部３５をまたぐ小リブ３６を鋏や爪切り等で切断すれば、シューズ用インソール１の剛性を低くすることができる。
【００３２】
補強プレート３は、図１に示すように、本体２の底面の土踏まず部から踵部にかけてのみ積層してもよい。
補強プレート３を、着地時の衝撃緩和、安定性に影響するシューズ用インソール１の必要な部分である土踏まず部から踵部にかけてのみ設ければ、前足部の屈曲性を阻害することがなく、インソール全体の重量を軽くすることもできる。
【００３３】
また、補強プレート３上のリブ３１、開口部３２、切込部３５は、土踏まず部領域に設けておくとよい。
土踏まず部は、特に剛性、柔軟性等が要求されるところであるから、この領域にリブ３１、開口部３２や切込部３５を設けることは、剛性、柔軟性等の微調整に有効となる。
【００３４】
補強プレート３の踵部には、図５に示すような帯状波形シートを並設すると共に、前記各帯状波形シートが連結部を介して互いに連結するように、前記連結部を、隣り合う前記各帯状波形シートの間に配置した領域Bを設けるとよい。
このように構成することで、踵部の衝撃緩和性が一層向上する。
また、前記領域は補強プレートと一体成型するので、別材料を嵌め込む方法とは異なり、手間とコストを削減し、別材料のようにずれたりすることがなくなる。
【図面の簡単な説明】
【００３５】
【図１】本発明を実施したシューズ用インソールの底面図である。
【図２】図１の要部拡大図である。
【図３】本発明シューズ用インソールの積層状態を示す説明側面図である。
【図４】図１のＡ−Ａ線断面図である。
【図５】（１）は踵部領域に設ける緩衝構造の底面図、（２）はＣ−Ｃ線断面図である。
【符号の説明】
【００３６】
１     シューズ用インソール
２     本体
３     補強プレート
３１   リブ
３２   開口部
３３   横リブ
３４   立ち上がり部
３５   切込部
３６   小リブ
４     上面保護シート
５     貫通孔
【図１】
0004481940.tif 000002
【図２】
0004481940.tif 000003
【図３】
0004481940.tif 000004
【図４】
0004481940.tif 000005
【図５】
0004481940.tif 000006